【手続補正書】
【提出日】令和3年2月5日(2021.2.5)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を複数備え、
前記可変表示部の変動表示を停止することで表示結果を導出し、複数の可変表示部の表示結果の組合せである表示結果組合せに応じて入賞が発生可能なスロットマシンにおいて、
表示結果が導出される前に、導出が許容される表示結果組合せを決定する事前決定手段と、
遊技者が表示結果を導出させるために操作する導出操作手段と、
前記事前決定手段の決定結果に応じて表示結果を導出する制御を行う導出制御手段と、
を備え、
前記導出制御手段は、
前記事前決定手段の決定結果が第１特定結果となり、第１操作態様で前記導出操作手段が操作されたときに特定入賞が発生する特定表示結果組合せのうち第１態様の特定表示結果組合せを導出し、前記第１操作態様以外の操作態様で前記導出操作手段が操作されたときに前記特定入賞が発生しない表示結果組合せを導出する制御を行い、
前記事前決定手段の決定結果が第２特定結果となり、前記第１操作態様とは異なる第２操作態様で前記導出操作手段が操作されたときに前記特定表示結果組合せのうち第２態様の特定表示結果組合せを導出し、前記第２操作態様以外の操作態様で前記導出操作手段が操作されたときに前記特定入賞が発生しない表示結果組合せを導出する制御を行い、
前記事前決定手段の決定結果が第３特定結果となり、前記第１操作態様で前記導出操作手段が操作されたときに前記特定表示結果組合せのうち前記第１態様の特定表示結果組合せを導出し、前記第２操作態様で前記導出操作手段が操作されたときに前記特定表示結果組合せのうち前記第２態様の特定表示結果組合せを導出する制御を行い、
前記第１態様の特定表示結果組合せは、前記複数の可変表示部を跨がる複数のラインのうち第１ラインに特定の識別情報組合せが導出される表示結果組合せであり、
前記第２態様の特定表示結果組合せは、前記複数のラインのうち前記第１ラインとは異なる第２ラインに特定の識別情報組合せが導出される表示結果組合せである、スロットマシン。
【手続補正２】
【補正対象書類名】明細書
【補正対象項目名】０００６
【補正方法】変更
【補正の内容】
【０００６】
（Ａ）  各々が識別可能な複数種類の識別情報を変動表示可能な可変表示部を複数備え、
前記可変表示部の変動表示を停止することで表示結果を導出し、複数の可変表示部の表示結果の組合せである表示結果組合せに応じて入賞が発生可能なスロットマシンにおいて、
表示結果が導出される前に、導出が許容される表示結果組合せを決定する事前決定手段と、
遊技者が表示結果を導出させるために操作する導出操作手段と、
前記事前決定手段の決定結果に応じて表示結果を導出する制御を行う導出制御手段と、
を備え、
前記導出制御手段は、
前記事前決定手段の決定結果が第１特定結果となり、第１操作態様で前記導出操作手段が操作されたときに特定入賞が発生する特定表示結果組合せのうち第１態様の特定表示結果組合せを導出し、前記第１操作態様以外の操作態様で前記導出操作手段が操作されたときに前記特定入賞が発生しない表示結果組合せを導出する制御を行い、
前記事前決定手段の決定結果が第２特定結果となり、前記第１操作態様とは異なる第２操作態様で前記導出操作手段が操作されたときに前記特定表示結果組合せのうち第２態様の特定表示結果組合せを導出し、前記第２操作態様以外の操作態様で前記導出操作手段が操作されたときに前記特定入賞が発生しない表示結果組合せを導出する制御を行い、
前記事前決定手段の決定結果が第３特定結果となり、前記第１操作態様で前記導出操作手段が操作されたときに前記特定表示結果組合せのうち前記第１態様の特定表示結果組合せを導出し、前記第２操作態様で前記導出操作手段が操作されたときに前記特定表示結果組合せのうち前記第２態様の特定表示結果組合せを導出する制御を行い、
前記第１態様の特定表示結果組合せは、前記複数の可変表示部を跨がる複数のラインのうち第１ラインに特定の識別情報組合せが導出される表示結果組合せであり、
前記第２態様の特定表示結果組合せは、前記複数のラインのうち前記第１ラインとは異なる第２ラインに特定の識別情報組合せが導出される表示結果組合せである。
（手段１）  各々が識別可能な複数種類の識別情報を変動表示可能な可変表示部（リール２Ｌ、２Ｃ、２Ｒ）を複数備え、
前記可変表示部（リール２Ｌ、２Ｃ、２Ｒ）の変動表示を停止することで表示結果を導出し、複数の可変表示部の表示結果の組合せである表示結果組合せに応じて入賞が発生可能なスロットマシン（スロットマシン１）において、
表示結果が導出される前に、導出が許容される表示結果の組合せを決定する事前決定手段（内部抽選）と、
遊技者が表示結果を導出させるために操作する導出操作手段（ストップスイッチ８Ｌ、８Ｃ、８Ｒ）と、
前記事前決定手段（内部抽選）の決定結果に応じて表示結果を導出する制御を行う導出制御手段（メイン制御部４１）と、
を備え、
前記導出制御手段は、
前記事前決定手段（内部抽選）の決定結果が第１特定結果（左ベル１〜４）となり、第１操作態様（左第１停止操作）で前記導出操作手段（ストップスイッチ８Ｌ、８Ｃ、８Ｒ）が操作されたときに特定入賞が発生する特定表示結果組合せのうち第１態様の特定表示結果組合せ（右下がりベルの図柄組合せ）を導出し、前記第１操作態様以外の操作態様（中・右第１停止操作）で前記導出操作手段が操作されたときに前記特定入賞が発生しない表示結果組合せ（所定の上段ベルまたははずれの図柄組合せ）を導出する制御を行い、
前記事前決定手段（内部抽選）の決定結果が第２特定結果（中ベル１〜４、右ベル１〜４）となり、前記第１操作態様とは異なる第２操作態様（中ベル１〜４当選時の中第１停止操作、右ベル１〜４当選時の右第１停止操作）で前記導出操作手段（ストップスイッチ８Ｌ、８Ｃ、８Ｒ）が操作されたときに前記特定表示結果組合せのうち第２態様の特定表示結果組合せ（中段ベルの図柄組合せ）を導出し、前記第２操作態様以外の操作態様（中ベル１〜４当選時の左・右第１停止操作、右ベル１〜４当選時の左・中第１停止操作）で前記導出操作手段が操作されたときに前記特定入賞が発生しない表示結果組合せ（所定の上段ベルまたははずれの図柄組合せ）を導出する制御を行い、
前記事前決定手段（内部抽選）の決定結果が第３特定結果（共通ベル）となり、前記第１操作態様（左第１停止操作）で前記導出操作手段（ストップスイッチ８Ｌ、８Ｃ、８Ｒ）が操作されたときに前記特定表示結果組合せのうち前記第１態様の特定表示結果組合せ（右下がりベルの図柄組合せ）を導出し、前記第２操作態様（中・右第１停止操作）で前記導出操作手段が操作されたときに前記特定表示結果組合せのうち前記第２態様の特定表示結果組合せ（中段ベルの図柄組合せ）を導出する制御を行う
ことを特徴としている。
この特徴によれば、第１特定結果であるか、第２特定結果であるか、によって特定入賞が発生する特定表示結果組合せが導出される操作態様が異なり、かつ第１操作態様で特定表示結果組合せが導出される場合と、第２操作態様で特定表示結果組合せが導出される場合と、で導出される特定表示結果組合せの態様が異なる構成において、第１操作態様で操作されても第２操作態様で操作されても特定表示結果組合せの導出が許容される第３特定結果となった場合に、第１操作態様で操作された場合には、第１操作態様で操作されることで特定表示結果組合せが導出される第１特定結果となり第１操作態様で操作された場合と同様に第１態様の特定表示結果組合せが導出され、第２操作態様で操作された場合には、第２操作態様で操作されることで特定表示結果組合せが導出される第２特定結果となり
第２操作態様で操作された場合と同様に第２態様の特定表示結果組合せが導出されるので、第３特定結果となった場合に、第１操作態様で操作されても第２操作態様で操作されても特定表示結果組合せの態様の違いによって違和感を与えてしまうことがない。